(57)【要約】【課題】電池を収納してなる外装ケースに排出口となる貫通孔を開口して、外装ケースの内部から水やガス等を排出する機能を維持しながら、この貫通孔からケースの内部に侵入する異物に起因する弊害を確実に防止する。【解決手段】電池パックは、充放電できる電池１と、電池１を内部に収納する外装ケース４とを備え、外装ケース４は、外装ケース４の内部に連通された貫通孔６を有し、外装ケース４の内部には、貫通孔６に対向して、貫通孔６側を開口して周囲を閉塞してなる閉鎖室５を備えており、貫通孔６から外装ケース４内に侵入する異物を閉鎖室５の内部に滞留させて外装ケース４内での移動を阻止するようにしている。【選択図】図４
2020205135.tif 000002
【特許請求の範囲】
【請求項１】
充放電できる電池と、
前記電池を内部に収納する外装ケースと
を備え、
前記外装ケースは、該外装ケースの内部に連通された貫通孔を有しており、
該外装ケースの内部には、前記貫通孔に対向して、該貫通孔側を開口して周囲を閉塞してなる閉鎖室を備えており、
前記貫通孔から該外装ケース内に侵入する異物を前記閉鎖室の内部に滞留させて該外装ケース内での移動を阻止することを特徴とする電池パック。
【請求項２】
請求項１に記載される電池パックであって、さらに、
前記電池を定位置に配置する電池ホルダーを備えており、
前記電池ホルダーに前記閉鎖室を形成してなる電池パック。
【請求項３】
請求項２に記載される電池パックであって、
前記電池が円筒形電池で、前記電池ホルダーが複数の前記円筒形電池を互いに平行な姿勢で保持する電池収納部を備えており、
前記電池ホルダーが、前記電池収納部の底部に、前記円筒形電池の外周面に沿う半円筒状の湾曲プレート部を備えると共に、互いに隣接する前記湾曲プレート部の間であって外側面に形成される谷間部に前記閉鎖室を形成してなる電池パック。
【請求項４】
請求項１から３のいずれか一項に記載される電池パックであって、
前記閉鎖室は、四方を閉塞してなる周壁と底面を閉塞してなる底板部とを備えており、
前記貫通孔側の開口部の開口面積を、該貫通孔の開口面積よりも広くしてなる電池パック。
【請求項５】
請求項４に記載される電池パックであって、
前記貫通孔の開口面積が１ｃｍ２以下であって、前記閉鎖室の開口面積が３ｃｍ２以下である電池パック。
【請求項６】
請求項１から５のいずれか一項に記載される電池パックであって、
前記閉鎖室は、四方を閉塞してなる周壁と底面を閉塞してなる底板部とを備えており、
前記周壁の先端面が前記外装ケースの内面に接近してなる電池パック。
【請求項７】
請求項１から６のいずれか一項に記載される電池パックであって、
前記閉鎖室は、前記底板部を部分的に深く形成してなる深底部を有する電池パック。
【発明の詳細な説明】
【技術分野】
【０００１】
本発明は、電池を外装ケースに収納してなる電池パックに関し、とくに、外装ケースに、水抜き孔や排気孔等の貫通孔を開口してなる電池パックに関する。
【背景技術】
【０００２】
充放電できる複数の電池を外装ケースに収納してなる電池パックは、屋内外を問わず、電池で駆動される種々の電池機器の電源として使用されている。この種の電池パックは、意図せずに外装ケース内に侵入した水を外部に排出するための水抜き孔として、あるいは、外装ケース内の空気や電池から排出されるガスを外部に排気するための排気孔として、外装ケースに貫通孔を開口しているものがある。（特許文献１及び２参照）
【先行技術文献】
【特許文献】
【０００３】
【特許文献１】特開２０１３−１９２２８２号公報
【特許文献２】特開２００６−１９６２７７号公報
【発明の概要】
【発明が解決しようとする課題】
【０００４】
以上のように、外装ケース内の水分やガスを外部に排出する排出口として、外装ケースに貫通孔を開口している電池パックは、外装ケース内に侵入した水や内部のガスを排出口から外部に排出することで安全性を保障できる特徴がある。ただ、このように外装ケースに排出口を開口してなる電池パックは、この排出口を通して外部から異物が侵入する可能性がある。侵入する異物が導電性を有している場合には、侵入後に外装ケースの内部を移動し、この異物が外装ケースに収納された電池やリード板、基板等の通電部分に接触すると、電池が短絡して発煙や発火に至る虞がある。
【０００５】
本発明は、従来のこのような背景を鑑みてなされたものであり、その目的の一は、電池を収納してなる外装ケースに排出口となる貫通孔を開口して、外装ケースの内部から水やガス等を排出する機能を維持しながら、この貫通孔からケースの内部に侵入する異物に起因する弊害を確実に防止できる電池パックを提供することにある。
【課題を解決するための手段及び発明の効果】
【０００６】
本発明のある態様の電池パックは、充放電できる電池１と、電池１を内部に収納する外装ケース４とを備え、外装ケース４は、外装ケース４の内部に連通された貫通孔６を有し、外装ケース４の内部には、貫通孔６に対向して、貫通孔６側を開口して周囲を閉塞してなる閉鎖室５を備えており、貫通孔６から外装ケース４内に侵入する異物を閉鎖室５の内部に滞留させて外装ケース４内での移動を阻止するようにしている。
【０００７】
上記構成により、電池を収納してなる外装ケースに貫通孔を開口することで、外装ケース内に侵入した水分や外装ケース内の気体を貫通孔に通過させて外部に排出できる構造としながら、外装ケースの内部には、周囲が閉塞されて貫通孔側を開口してなる閉鎖室を貫通孔に対向して設けることにより、貫通孔から外装ケース内に侵入する異物を閉鎖室の内部に滞留させて外装ケース内で移動するのを阻止して、外装ケースに収納された電池を侵入する異物に起因する弊害から保護できる。
【０００８】
本発明の電池パックは、さらに、電池１を定位置に配置する電池ホルダー２を備えて、この電池ホルダー２に閉鎖室５を形成することができる。
上記構成により、外装ケースに収納される電池を電池ホルダーで定位置に配置しながら、この電池ホルダーに閉鎖室を形成することで、外装ケースの内部に簡単かつ容易に、しかも省スペースに閉鎖室を配置できる。
【０００９】
本発明の電池パックは、電池１を円筒形電池として、電池ホルダー２が複数の円筒形電池を互いに平行な姿勢で保持する電池収納部２０を備え、さらに、電池ホルダー２が、電池収納部２０の底部に、円筒形電池の外周面に沿う半円筒状の湾曲プレート部２１を備えると共に、互いに隣接する湾曲プレート部２１の間であって外側面に形成される谷間部２６に閉鎖室５を形成することができる。
上記構成により、電池収納部を構成する湾曲プレート部の外側に形成される谷間部を有効に利用して、深さのある閉鎖室を効率よく形成することができる。とくに、この閉鎖室は、内部に侵入する異物を湾曲プレート部の外側面に沿って谷間部に落下させて閉鎖室の底部に確実に滞留させることができる。
【００１０】
本発明の電池パックは、閉鎖室５が、四方を閉塞してなる周壁５０と底面を閉塞してなる底板部５４とを備えて、貫通孔６側の開口部の開口面積を、貫通孔６の開口面積よりも広くすることができる。
上記構成により、外装ケースの貫通孔を通過して内部に侵入する異物を確実に閉鎖室の内部に案内できる。
【００１１】
本発明の電池パックは、貫通孔６の開口面積を１ｃｍ２以下として、閉鎖室５の開口部の開口面積を３ｃｍ２以下とすることができる。
上記構成により、外装ケースの内部に侵入する異物の大きさを限定しながら、貫通孔を通過した異物を確実に閉鎖室の内部に案内できる。
【００１２】
本発明の電池パックは、閉鎖室５が、四方を閉塞してなる周壁５０と底面を閉塞してなる底板部５４とを備えて、周壁５０の先端面を外装ケース４の内面に接近させることができる。
上記構成により、閉鎖室の四方を閉塞する周壁の先端面を外装ケースの内面に接近させることで、閉鎖室に侵入した異物が閉鎖室の外部に移動するのを確実に防止できる。
【００１３】
本発明の電池パックは、閉鎖室５が、底板部５４を部分的に深く形成してなる深底部５５を有することができる。
上記構成により、閉鎖室に侵入した異物を深底部に滞留させて、閉鎖室に侵入した異物が閉鎖室の外部に移動するのを確実に防止できる。
【図面の簡単な説明】
【００１４】
【図１】本発明の実施例にかかる電池パックの斜視図である。
【図２】図１に示す電池パックのＩＩ−ＩＩ線断面図である。
【図３】図１に示す電池パックのＩＩＩ−ＩＩＩ線断面図である。
【図４】図１に示す電池パックの分解斜視図である。
【図５】図４に示す電池パックの電池ホルダーに設けた閉鎖室の拡大斜視図である。
【発明を実施するための形態】
【００１５】
以下、本発明の実施の形態を図面に基づいて説明する。ただし、以下に示す実施の形態は、本発明の技術思想を具体化するための例示であって、以下のものに特定しない。なお、特許請求の範囲に示される部材を、実施の形態の部材に特定するものでは決してない。特に実施の形態に記載されている構成部材の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。さらにまた、明細書において上下方向は図面において特定するものとする。
【００１６】
本発明の電池パックは、主として屋内外で使用される電気機器、例えば、クリーナーや照明装置、デジタルカメラ、ビデオカメラ等の電源として使用することができる。ただ、本発明は電池パックの用途を特定するものでなく、動力用の電源として、例えば、電動工具、電動アシスト自転車、電動バイク、電動車椅子、電動三輪車、電動カート等のモータで駆動される電動機器の電源として使用することもできる。
【００１７】
図１の斜視図と、図２及び図３の断面図と、図４の分解斜視図とに示す電池パック１００は、充放電できる複数の電池１と、これらの電池１を内部の定位置に収納している外装ケース４とを備えている。図に示す電池パック１００は、複数の電池１を電池ホルダー２を介して定位置に配置すると共に、これらの電池１の正負の電極端子をリード板３で接続して電池のコアパック９を構成しており、このコアパック９を外装ケース４の内部に収納している。なお、本明細書において、上下方向及び左右方向は、図１に示す方向と定義する。また、電池の長手方向を長さ方向と定義する。
【００１８】
（電池１）
図の電池パック１００は、電池１を円筒形電池とする。円筒形電池は、円筒状の外装缶に電極体を収納し、電解液を充填して外装缶の開口部を封口板で密閉している。円筒形電池は、両端面である外装缶の底面と、封口板の中央部に設けた凸部電極とを正負の電極端子としている。図の電池パックは電池１を円筒形電池とするが、本発明は電池を円筒形電池に特定せず、たとえば角形電池とすることもできる。電池はリチウムイオン電池などの非水電解質二次電池である。ただし、本発明は、電池をリチウムイオン電池に特定するものでなく、他の非水電解質二次電池やニッケル水素電池等、現在使用され、これから開発される全ての二次電池が使用できる。
【００１９】
（電池ホルダー２）
複数の電池１は、電池ホルダー２を介して定位置に配置される。電池ホルダー２は、図２と図３に示すように、複数の電池１を定位置にセットする複数列の電池収納部２０を備えている。図２の電池パック１００は、円筒形電池を４列に配置するので、電池ホルダー２は、互いに平行に形成された溝形の電池収納部２０を４列に設けている。電池ホルダー２は、各列の電池収納部２０に円筒形電池を配置して４本の円筒形電池を互いに平行な姿勢で配置している。
【００２０】
電池ホルダー２の電池収納部２０は、円筒形電池を定位置にセットできるように溝形に形成されている。図２に示す電池ホルダー２は、電池収納部２０の底部を円筒形電池の外周面に沿う湾曲面を有する半円筒状の湾曲プレート部２１で構成すると共に、互いに隣接する電池１の間には隔壁２２を設けて隣接する電池１同士を隔離している。この隔壁２２は、湾曲プレート部２１の側縁から下方に延長されており、隣接する電池１の間において、対向する隔壁２２同士が連結部２３で連結されている。図２の電池ホルダー２は、対向する隔壁２２の下端部の間に、外装ケース４である第１ケース４Ａの底面から突出する連結凸条４４を挿入する連結溝２４を形成している。この電池ホルダー２は、隔壁２２の間に形成される連結溝２４に連結凸条４４を挿入して第１ケース４Ａの定位置に連結されると共に、隣接する電池１同士を隔離して熱暴走を防止している。
【００２１】
さらに、電池ホルダー２は、複数列の電池収納部２０の両端を端面壁２５で閉塞している。この端面壁２５には、電池収納部２０に収納される電池１の両端の電極端子を露出させる電極窓（図示せず）を開口している。この電極窓は、電池１が通過しないように電池１の外形よりも小さくしている。電池ホルダー２に平行な姿勢で配置される複数の電池１は、両端面に設けている電極端子が同一平面に配置されており、電池ホルダー２の両面において電極窓から露出する電極端子がリード板３を介して接続されている。
【００２２】
電池ホルダー２は、絶縁材料である熱可塑性樹脂等の樹脂によって所定の形状に成形されている。電池ホルダー２は、好ましくは難燃性に優れた樹脂製とすることができる。このような樹脂として、例えば、ＰＣ（ポリカーボネート）やＰＰ（ポリプロピレン）が使用できる。
【００２３】
以上の電池ホルダー２は、複数の電池１を互いに平行な姿勢で横に並べて同一平面上に配列している。ただ、電池ホルダーは、必ずしも複数の電池を互いに平行な姿勢で同一平面状に配列する構造には限定せず、複数の電池を互いに平行な姿勢であって、多段多列に配列する構造とすることもできる。複数の電池を多段多列に配置する電池ホルダーは、図示しないが、複数の円筒形電池を俵積み状態に配置する形状とし、あるいは縦横に並べて碁盤格子状の交点に円筒形電池を配置する形状とすることができる。複数の円筒形電池を俵積み状態に配置する電池ホルダーは、多数の円筒形電池をスペース効率よく配置して、全体をコンパクトにできる。これらの電池ホルダーも、多段多列に配置される円筒形電池の間に、電池の外周面に沿う隔壁を設けて保持部とすることができる。
【００２４】
（リード板３）
リード板３は、電池ホルダー２の両端面において、端面壁２５の電極窓から表出する電池１の電極端子にスポット溶接等で溶着して固定している。リード板３は、導電性に優れた薄い金属板で構成される。リード板３は、電池ホルダー２に収納される複数の電池１の電極端子に接続されて、これらの電池１を直列と並列に接続している。
【００２５】
（コアパック９）
図２〜図４に示す電池パック１００は、電池ホルダー２に４本の電池１を収納して電池ブロック１０を構成すると共に、２組の電池ブロック１０を電池１の長さ方向に連結して電池のコアパック９を構成している。図に示す電池ブロック１０は、隣接する２本ずつの電池１をそれぞれ並列に接続して２組の並列ユニット１１としている。さらに、２組の電池ブロック１０を対向する端面において連結すると共に、４組の並列ユニット１１をリード板３で直列に接続して、８本の電池１を４直列２並列に接続している。このコアパック９は、２本の電池１を並列に接続して出力電流を大きくすると共に、４組の並列ユニット１１を直列に接続して出力電圧を高くしている。これにより、例えば、電池１として１セル当たり３．６Ｖのリチウムイオン二次電池を使用する場合は、４本の電池１を直列に接続して１４．４Ｖの出力を得ることができる。
【００２６】
（絶縁シート１７）
さらに、図に示す電池パック１００は、コアパック９の両端面に、リード板３が意図しないショートをしないように、絶縁シート１７を貼付している。絶縁シート１７には、絶縁性に優れた紙やプラスチックフィルムなどが利用できる。図に示す絶縁シート１７は、電池ホルダー２の端面に沿う外形として、電池ホルダー２の端面に接続されるリード板３全体を被覆できるようにしている。
【００２７】
（外装ケース４）
外装ケース４は、複数の電池１を電池ホルダー２の定位置に配置してなる電池のコアパック９を収納している。図１〜図４に示す外装ケース４は、第１ケース４Ａと第２ケース４Ｂに分割されており、内部にはコアパック９を収納する収納部を形成している。この外装ケース４も、絶縁材料である熱可塑性樹脂等の樹脂によって所定の形状に成形されている。この外装ケース４も、好ましくは難燃性に優れた樹脂製とすることができ、例えば、ＰＣ（ポリカーボネート）やＰＰ（ポリプロピレン）で製造される。
【００２８】
第１ケース４Ａは、底板の周囲に外周壁４１を連結して、上方開口の箱形としている。図の第１ケース４Ａは、電池のコアパック９の下部を収納可能な内形と深さとなるように外周壁４１を設けている。さらに、第１ケース４Ａは、図２と図４に示すように、収納される電池ホルダー２の隔壁２２と対向する位置に、電池１の長さ方向に伸びる複数列の連結凸条４４を底面から上方に突出して設けている。図２に示す電池ホルダー２は、４列の電池収納部２０の間に３列の連結溝２４を設けているので、第１ケース４Ａは、左右にそれぞれ３列ずつの連結凸条４４を設けている。
【００２９】
さらに、図３と図４に示す第１ケース４Ａは、左右に配置される電池ブロック１０の間であって、左右に形成された連結凸条４４の間の領域に位置して、複数の区画壁４３を前後方向に離して設けている。図に示す第１ケース４Ａは４枚の区画壁４３を直線状に設けている。各々の区画壁４３は、左右の電池ブロック１０の間に挿入されて、対向する電池１に接続されるリード板３の接続部を隔離して保護している。
【００３０】
第２ケース４Ｂは、箱形の第１ケース４Ａの上方開口部を閉塞できるように、天板の周囲に外周壁４５を連結して、下方開口の箱形としている。図の第２ケース４Ｂは、第１ケース４Ａに収納されたコアパック９の上部を収納可能な内形と深さとなるように、外周壁４５を設けている。
【００３１】
以上の外装ケース４は、図２〜図４に示すように、第１ケース４Ａと第２ケース４Ｂとの間に電池のコアパック９を収納する状態で互いに連結される。第１ケース４Ａと第２ケース４Ｂは、対向する外周壁４１、４５を互いに連結して、内部にコアパック９を配置する。この外装ケース４は、第１ケース４Ａと第２ケース４Ｂに設けている外周壁４１、４５の端面を超音波溶着し、あるいは接着して連結される。図示しないが、第１ケースと第２ケースは、一方のケースを貫通する止ネジを、他方のケースに設けたボスにねじ込んで連結することもできる。
【００３２】
（貫通孔６）
さらに、図１〜図４に示す外装ケース４は、内部に連通された貫通孔６を第２ケース４Ａに開口して設けている。この貫通孔６は、外装ケース４に侵入した水分や外装ケース４内の気体を外部に排出する排出口として開口されている。このように、外装ケース４に排出口となる貫通孔６を設ける構造は、外装ケース４の内部に侵入した水分を外部に排出する水抜き孔として利用され、あるいは、外装ケース４内の気体、例えば、電池１の発熱により外装ケース４内にこもった熱気や電池１から排出されるガス等を外部に排気する換気孔として利用される。
【００３３】
図２と図４に示す第２ケース４Ｂは、図において後方部４７を前方部４６よりも高く形成して、言い換えると後方部４７の内部を前方部４６の内部よりも深く形成して、この前方部４６と後方部４７の境界部に傾斜部４８を設けて、この傾斜部４８に貫通孔６を開口している。このように、傾斜部４８に貫通孔６を開口する構造は、貫通孔６を通過して内部に異物が侵入するのを有効に防止できる特徴がある。それは、外装ケース４の上面に落下する異物が傾斜部４８に沿って落下するので、水平面に貫通孔を開口する構造に比べて、貫通孔に異物が侵入し難くなるからである。ただ、貫通孔は、前方部や後方部の水平面に開口することもできる。
【００３４】
外装ケース４に開口される貫通孔６の開口面積は、例えば、１ｃｍ２よりも小さく、好ましくは、０．５ｃｍ２よりも小さく開口される。このように、貫通孔６の開口面積を制限することで、貫通孔６を通過して外装ケース４の内部に侵入する異物を限定できる。ただ、貫通孔６の開口面積が小さすぎると、埃等により目詰まりする虞があるので、貫通孔６の開口面積は５ｍｍ２よりも大きく、好ましくは１０ｍｍ２よりも大きくする。図に示す貫通孔６は、平面視における内形を正方形ないし長方形状としている。この形状の貫通孔は、開口面積を小さくしながら埃等による目詰まりを有効に防止できる。ただ、貫通孔は、平面視における内形を円形状や楕円形状、スリット状とすることもできる。
【００３５】
以上のように、外装ケース４に排出口として貫通孔６を設けてなる電池パック１００は、外装ケース４の内部に侵入した水分や外装ケース４内の気体を貫通孔６に通過させて外部に排出できる特徴がある。ただ、この電池パックは、外装ケース４に開口された貫通孔６から外装ケース４の内部に異物が侵入する虞がある。本発明の電池パックは、外装ケース４の貫通孔６から内部に侵入する異物による弊害を阻止するために、外装ケース４の内部であって、貫通孔６と対向する位置に閉鎖室５を設けている。
【００３６】
（閉鎖室５）
閉鎖室５は、図２と図３の断面図及び図５の拡大斜視図に示すように、貫通孔６側を開口して周囲を閉塞してなる構造としており、貫通孔６から外装ケース４内に侵入する異物を、閉鎖室５の内部に滞留させて外装ケース４内で移動するのを阻止するようにしている。図に示す電池パック１００は、外装ケース４に開口された貫通孔６と対向する閉鎖室５を、プラスチック製の電池ホルダー２に一体的に成形して設けている。この構造は、外装ケース４の内部において、貫通孔６と対向する位置に簡単かつ容易に、しかも効率よく閉鎖室５を配置することができる。ただ、閉鎖室は、必ずしも電池ホルダーに一体成形する必要はなく、電池ホルダーと別部材として設けることも、外装ケースである第１ケースに一体成形して設けることもできる。
【００３７】
電池ホルダー４に形成される閉鎖室５は、電池収納部２０を設けた面と反対側の面であって、外装ケース４の第２ケース４Ｂに開口された貫通孔６と対向する電池ホルダー２の外側面に形成されている。図に示す閉鎖室５は、電池ホルダー２の上面に形成されており、コアパック９が第１ケース４Ａと第２ケース４Ｂの間に収納されて定位置に配置される状態で、閉鎖室５の上方開口部に外装ケース４に開口された貫通孔６が位置するようにしている。
【００３８】
閉鎖室５は、周囲が周壁５０で閉塞されると共に、底面が底板部５４で閉塞されて、貫通孔６側を開口してなる上方開口の閉鎖空間を有する形状に形成されている。閉鎖室５の周囲を閉塞する周壁５０は、左右の両側に形成された側壁５１と、後方に形成された後方壁５２と、前方に形成された前方壁５３とを互いに連結して、四方が閉塞された閉鎖空間を形成している。これらの周壁５０は、先端面が外装ケース４の内面に接近する状態で形成されており、外装ケース４との間にできる隙間を狭くしている。これにより、閉鎖室５に侵入した異物が閉鎖室５の外側に移動するのを防止している。閉鎖室５の上方開口部は、図２と図３に示すように、外装ケース４に開口された貫通孔６が、平面視において開口部の内側に位置するように配置されている。また、閉鎖室５の開口部の開口面積は、貫通孔６の開口面積よりも広くしており、貫通孔６を通過して内部に侵入する異物を確実に閉鎖室５の内部に案内できるようにしている。閉鎖室５の上方開口部の開口面積は、例えば、３ｃｍ２以下とすることができる。
【００３９】
さらに、閉鎖室５の底面は、図２に示すように、電池収納部２０の底部を構成する湾曲プレート部２１と、隣接する電池１間において湾曲プレート部２１の測縁を連結する連結部２３とで構成している。図２及び図５に示す電池ホルダー２は、内側面で電池収納部２０を形成する半円筒状の湾曲プレート部２１の外側面であって、互いに隣接する湾曲プレート部２１の間に形成される谷間部２６に閉鎖室５を形成している。この構造は、円筒形電池の外周面に沿う電池収納部２０を構成する湾曲プレート部２１の外側に形成される谷間部２６を有効に利用して深さのある閉鎖室５を形成することができる。すなわち、この閉鎖室５は、谷間部２６を有効に利用して、底板部５４を部分的に深く形成してなる深底部５５を設けることができる。この形状の閉鎖室５は、貫通孔６を通過して閉鎖室５の内部に侵入した異物を最深部５５に誘導し、この部分に滞留させることで、外装ケース４の内部において移動するのを確実に阻止できる。とくに、湾曲プレート部２１の谷部で形成される最深部５５に異物を案内することで、異物による悪影響を最も効果的に防止できる。ただ、閉鎖室は、必ずしも湾曲プレート部の谷間部を含む領域に設ける必要はなく、閉鎖室の底面をフラットな面とし、あるいは、傾斜面や湾曲面とすることもできる。
【００４０】
以上のように、電池ホルダー２の上面に形成される閉鎖室５の周壁５０は、外装ケース４に収納される電池ホルダー２を外装ケース４内の定位置に配置する支持凸部に兼用することができる。とくに、上端を外装ケース４の内面に接近させる状態で配置することで、外装ケース４に収納される電池ホルダー２の位置を特定しながら、定位置に配置できる。
【００４１】
（回路基板７）
さらに、図２と図４の電池パック１００は、電池のコアパック９に加えて回路基板７を外装ケース４に収納している。図の電池パック１００は、電池ホルダー２の上面側に回路基板７を配置する収納スペース２８を設けている。図の電池ホルダー２は、上方に突出する複数の支持凸部２７を備えており、電池ホルダー２の湾曲プレート部２１の上面と第２ケース４Ｂの内面との間に、回路基板７を収納可能な空間を設けて収納スペース２８としている。図２に示す外装ケース４は、後方部４７を前方部４６よりも高く形成しており、後方部４７の内部に収納スペース２８を形成して回路基板７を収納している。とくに、図４に示す電池パック１００は、図において、右側後方の領域を基板収納領域として回路基板７を配置し、外装ケース４の左側前方に貫通孔６を開口している。このように平面視を略長方形状とする外装ケース４の対角の位置に回路基板７と貫通孔６を配置する構造は、貫通孔６を通過して侵入する異物や水分に起因する回路基板７への弊害を有効に防止できる特徴がある。
【００４２】
回路基板７は保護回路などの電子部品を実装することができる。保護回路は、各々の円筒形電池の電圧、残容量、温度などを検出する検出回路と、この検出回路で検出される電池１のデータでオンオフにスイッチングされるスイッチング素子を備えることができる。また、回路基板７を収納してなる電池パック１００は、回路基板７に接続している出力コネクタ１９をリード線１８を介して外装ケース４から外部に引き出している。出力コネクタ１９は出力端子と信号端子とを有し、出力端子を介して充放電され、信号端子を介してセットされる機器と通信することができる。ただ、電池パックは、出力コネクタを設けることなく、出力端子と信号端子からなる接続端子を回路基板に固定し、これらの接続端子を外装ケースから表出させて、外部接続する構造とすることもできる。
【産業上の利用可能性】
【００４３】
本発明は、電池を収納してなる外装ケースに排出用の貫通孔を開口してなる電池パックに有効に利用できる。
【符号の説明】
【００４４】
１００…電池パック
１…電池
２…電池ホルダー
３…リード板
４…外装ケース
４Ａ…第１ケース
４Ｂ…第２ケース
５…閉鎖室
６…貫通孔
７…回路基板
９…コアパック
１０…電池ブロック
１１…並列ユニット
１７…絶縁シート
１８…リード線
１９…出力コネクタ
２０…電池収納部
２１…湾曲プレート部
２２…隔壁
２３…連結部
２４…連結溝
２５…端面壁
２６…谷間部
２７…支持凸部
２８…収納スペース
４１…外周壁
４３…区画壁
４４…連結凸条
４５…外周壁
４６…前方部
４７…後方部
４８…傾斜部
５０…周壁
５１…側壁
５２…後方壁
５３…前方壁
５４…底板部
５５…深底部
【図１】
2020205135.tif 000003
【図２】
2020205135.tif 000004
【図３】
2020205135.tif 000005
【図４】
2020205135.tif 000006
【図５】
2020205135.tif 000007